【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
防振のために移動可能な可動ユニットおよび該可動ユニットの移動に伴い移動可能なボールを有する防振ユニットと、
前記可動ユニットの動作を制御する制御手段とを有し、
前記制御手段は、該光学機器が他の光学機器に装着されたことに応じて、前記可動ユニットに、前記ボールを前記ボールが移動可能な範囲内における初期位置に移動させるための第１の動作を行わせること特徴とする光学機器。
【請求項２】
前記制御手段は、該光学機器と前記他の光学機器との間で装着後の初期通信が行われたことに応じて、前記可動ユニットに前記第１の動作を行わせることを特徴とする請求項１に記載の光学機器。
【請求項３】
防振のために移動可能な可動ユニットおよび該可動ユニットの移動に伴い移動可能なボールを有する防振ユニットと、
前記可動ユニットの動作を制御する制御手段とを有し、
前記制御手段は、該光学機器又は該光学機器が装着された他の光学機器の電源スイッチがオフの状態において、前記可動ユニットに、前記ボールを前記ボールが移動可能な範囲内における初期位置に移動させるための第１の動作を行わせること特徴とする光学機器。
【請求項４】
前記制御手段は、前記電源スイッチがオンからオフに切り換えられた後、所定時間が経過したことに応じて、前記可動ユニットに前記第１の動作を行わせることを特徴とする請求項３に記載の光学機器。
【請求項５】
前記電源スイッチが前記他の光学機器に設けられており、
前記他の光学機器は、前記電源スイッチがオフの状態において信号を該光学機器に送信し、
前記制御手段は、該信号を受信することに応じて、前記可動ユニットに前記第１の動作を行わせることを特徴とする請求項３又は４に記載の光学機器。
【請求項６】
該光学機器は、前記他の光学機器に搭載されたバックアップ電池から電力供給を受け、該電力を用いて前記第１の動作を行うことを特徴とする請求項３から５のいずれか１つに記載の光学機器。
【請求項７】
防振のために移動可能な可動ユニットおよび該可動ユニットの移動に伴い移動可能なボールを有する防振ユニットと、
前記可動ユニットの動作を制御する制御手段とを有し、
前記制御手段は、該光学機器又は該光学機器が装着された他の光学機器において電源が交換されたことに応じて、前記可動ユニットに、前記ボールを前記ボールが移動可能な範囲内における初期位置に移動させるための第１の動作を行わせること特徴とする光学機器。
【請求項８】
前記電源が前記他の光学機器に装着され、
前記他の光学機器は、前記電源が交換されたことに応じて信号を該光学機器に送信し、
前記制御手段は、該信号を受信することに応じて、前記可動ユニットに前記第１の動作を行わせることを特徴とする請求項７に記載の光学機器。
【請求項９】
前記第１の動作は、前記防振ユニットの防振動作とは別の動作であることを特徴とする請求項１から８のいずれか１つに記載のレンズ装置。
【請求項１０】
該光学機器からの光束を用いて被写体を観察するためのファインダを有する撮像装置に装着されることを特徴とする請求項１から９のいずれか１つに記載の光学機器。
【請求項１１】
請求項１から１０のいずれか１つに記載の光学機器と、
該光学機器が装着される撮像装置とを有することを特徴とする撮像システム。
【請求項１２】
請求項１から１０のいずれか１つに記載の光学機器の装着が可能であることを特徴とする撮像装置。
【手続補正２】
【補正対象書類名】明細書
【補正対象項目名】０００９
【補正方法】変更
【補正の内容】
【０００９】
本発明の一側面としての光学機器は、防振のために移動可能な可動ユニットおよび該可動ユニットの移動に伴い移動可能なボールを有する防振ユニットと、可動ユニットの動作を制御する制御手段とを有する。そして、制御手段は、該光学機器が他の光学機器に装着されたことに応じて、可動ユニットに、該ボールを前記ボールが移動可能な範囲内における初期位置に移動させるための第１の動作を行わせること特徴とする
また、本発明の他の側面としての光学機器は、防振のために移動可能な可動ユニットおよび該可動ユニットの移動に伴い移動可能なボールを有する防振ユニットと、可動ユニットの動作を制御する制御手段とを有する。そして、制御手段は、該光学機器又は該光学機器が装着された他の光学機器の電源スイッチがオフの状態において、可動ユニットに、該ボールを前記ボールが移動可能な範囲内における初期位置に移動させるための第１の動作を行わせること特徴とする。
【手続補正３】
【補正対象書類名】明細書
【補正対象項目名】００１０
【補正方法】変更
【補正の内容】
【００１０】
さらに、本発明の他の側面としての光学機器は、防振のために移動可能な可動ユニットおよび該可動ユニットの移動に伴い移動可能なボールを有する防振ユニットと、可動ユニットの動作を制御する制御手段とを有する。そして、制御手段は、該光学機器又は該光学機器が装着された他の光学機器において電源が交換されたことに応じて、可動ユニットに、該ボールを前記ボールが移動可能な範囲内における初期位置に移動させるための第１の動作を行わせること特徴とする。
【手続補正４】
【補正対象書類名】明細書
【補正対象項目名】００５３
【補正方法】変更
【補正の内容】
【００５３】
本実施例では、ボール移動範囲を、ピッチ方向とヨー方向に平行な辺を持つ矩形としている。そして、ボールをボール移動範囲（枠部１３ｄ）の隣り合う２辺（隅部）に対して片寄せしたときに、該ボールと他の２辺との間の隙間が、シフト鏡筒１５の該他の２辺方向への機械的な最大可動量又は実使用時の最大移動量の半分より若干大きくなるようにボール移動範囲を設定する。このような設定下でボールのリセット動作を行えば、実使用時にはボールが枠部１３ｄに当たらず、ボールの転がりのみでシフト鏡筒１５の案内が可能となる。
【手続補正５】
【補正対象書類名】明細書
【補正対象項目名】００５６
【補正方法】変更
【補正の内容】
【００５６】
図２〜図４において、２２ｐと２２ｙはそれぞれ光軸を中心とする放射方向に２極に着磁された検出用磁石である。２３ｐと２３ｙは検出用磁石２２ｐ，２２ｙの前側に配置された、磁束を閉じるためのヨークである。これら検出用磁石２２ｐ，２２ｙおよびヨーク両２３ｐと２３ｙは、シフト鏡筒１５に固定されている。
２４ｐは磁束密度の変化を電気信号に変換するホール素子であり、センサベース１７に位置決め固定されている。
２５はピッチ方向位置検出系を構成するコイル２０ｐおよびホール素子２４ｐを外部回路に電気的に接続するためのフレキシブル基板である。該フレキシブル基板２５は、２５ａの部分で折り返されている。また、２６ｐの部分の光軸方向前側にはホール素子２４ｐが実装されている。
【手続補正６】
【補正対象書類名】明細書
【補正対象項目名】００６６
【補正方法】変更
【補正の内容】
【００６６】
ステップ１００２では、防振制御マイクロコンピュータ１１５は、防振アクチュエータ１１６へ駆動信号を送り、防振ユニット２００に防振イニシャライズ動作を行わせる。
【手続補正７】
【補正対象書類名】明細書
【補正対象項目名】００７２
【補正方法】変更
【補正の内容】
【００７２】
ステップ２０００では、実施例１（図６のステップ１０００）と同様に、レンズ制御マイクロコンピュータ１１２は、カメラ制御マイクロコンピュータ１０２に対するレンズＩＤの通信を行ったか否かを判別する。レンズＩＤの通信を行ったと判別した場合はステップ２００１へ進み、レンズＩＤの通信を行っていないと判別したときはステップ２０００を繰り返す。
【手続補正８】
【補正対象書類名】明細書
【補正対象項目名】００７６
【補正方法】変更
【補正の内容】
【００７６】
ステップ２００４では、防振制御マイクロコンピュータ１１５は、防振アクチュエータ１１６へ駆動信号を送り、防振ユニット２００’に防振イニシャライズ動作を行わせる。イニシャライズ動作は、実施例１にて説明したものと同じである。
【手続補正９】
【補正対象書類名】明細書
【補正対象項目名】００７９
【補正方法】変更
【補正の内容】
【００７９】
なお、上記実施例１，２では、レンズのカメラへの装着後に初期通信が行われたことに応じて防振ユニットのイニシャライズ動作を行う場合について説明した。しかし、本発明におけるイニシャライズ動作のトリガはこれに限られない。例えば、レンズ又はカメラに、レンズのカメラに対する装着を検出するスイッチを設け、該スイッチにより検出信号に応じて防振ユニットのイニシャライズ動作を行うようにしてもよい。
【手続補正１０】
【補正対象書類名】明細書
【補正対象項目名】００８１
【補正方法】変更
【補正の内容】
【００８１】
但し、本実施例のカメラ１０１’には、バックアップ電池１４０が装填されている。バックアップ電池１４０は、カメラ１０１’の電源スイッチであるメインスイッチ１２２がオフ（電源非投入）状態のときに、カメラ制御、レンズ制御および防振制御マイクロコンピュータ１０２，１１２，１１５を動作させるために電力供給する。
【手続補正１１】
【補正対象書類名】明細書
【補正対象項目名】００９１
【補正方法】変更
【補正の内容】
【００９１】
ステップ３００７では、防振制御マイクロコンピュータ１１５は、防振アクチュエータ１１６へ駆動信号を送り、防振ユニット２００に防振イニシャライズ動作を行わせる。
【手続補正１２】
【補正対象書類名】明細書
【補正対象項目名】００９４
【補正方法】変更
【補正の内容】
【００９４】
ステップ４０００では、カメラ制御マイクロコンピュータ１０２は、カメラ１０１に装填されていた電源（メイン電池）１０４が交換されたか否かを判別する。交換された場合はステップ４００１に進み、交換されていない場合はステップ４０００に戻る。電源１０４が交換されたか否かは、カメラ制御マイクロコンピュータ１０２への電源１０４からの電力が一旦供給されなくなった後、再び供給が開始されたことにより判別できる。また、不図示の電源装填スイッチが一旦オフになった（電源１０４が取り外された）後、再びオンになった（電源１０４が装填された）ことにより判別してもよい。
【手続補正１３】
【補正対象書類名】明細書
【補正対象項目名】００９８
【補正方法】変更
【補正の内容】
【００９８】
ステップ４００４では、防振制御マイクロコンピュータ１１５は、防振アクチュエータ１１６へ駆動信号を送り、防振ユニット２００に防振イニシャライズ動作を行わせる。
【手続補正１４】
【補正対象書類名】明細書
【補正対象項目名】０１０１
【補正方法】変更
【補正の内容】
【０１０１】
このため、実施例１と同様に、レンズ制御マイクロコンピュータ１１２において、レンズＩＤの送信を判別し、防振ユニット２００のイニシャライズ動作を行わせるようにしてもよい。
【手続補正１５】
【補正対象書類名】図面
【補正対象項目名】図１
【補正方法】変更
【補正の内容】
【図１】
2007163594.tif 000001
【手続補正１６】
【補正対象書類名】図面
【補正対象項目名】図５
【補正方法】変更
【補正の内容】
【図５】
2007163594.tif 000002
【手続補正１７】
【補正対象書類名】図面
【補正対象項目名】図７
【補正方法】変更
【補正の内容】
【図７】
2007163594.tif 000003
【手続補正１８】
【補正対象書類名】図面
【補正対象項目名】図９
【補正方法】変更
【補正の内容】
【図９】
2007163594.tif 000004